(57)【要約】  【課題】電気の無駄なく、誤作動も起こさないことができるとともに、子どもがスイッチに手が届かず、照明の点灯状態を切り換えることができないこともなく、また、暗闇の中でも手間をかけずに照明の点灯／消灯状態を切り換えることができる照明システムを提供することを目的とする。  【解決手段】    部屋を構成する壁１、部屋を構成する床２、シート型電極３ａ、シート型電極３ｂ、人体５を介して形成される指示回路４、指示回路４に流れる電流７を検知する電流検知器６、主回路８、天井から吊り下げられた照明９が備えられ、人体がシート型電極３ａ、３ｂに触れることにより、照明９の点灯／消灯状態を切り換えることができるようになされている。【選択図】    図１
2008147006.tif 000002
【特許請求の範囲】
【請求項１】
建物の部屋、通路に設置される照明と、建物の部屋、通路などを構成する壁及び床の表面部に少なくとも１つ以上設けられた接触部と、人体を介して形成される指示回路と、前記指示回路からの信号を受け照明の点灯状態を切り換える主回路とが備えられており、前記接触部を少なくとも２つ以上触れることで、前記指示回路が形成され、前記指示回路が前記主回路に信号を発信し、照明の点灯／消灯状態を切り換えることができることを特徴とする建物の照明システム。
【請求項２】
前記接触部が、電極体からなり、前記接触部に触れることにより、前記指示回路に電流が流れ、該電流を検知する度に、前記主回路に信号を発信するようになれされている請求項１記載の照明システム。
【請求項３】
前記壁の表面部に設けられた電極体が、縦型の略長方形からなり、前記壁の鉛直方向に渡って設けられている請求項２記載の照明システム。
【発明の詳細な説明】
【技術分野】
【０００１】
本発明は、建物の部屋、通路などの照明システムに関する。
【背景技術】
【０００２】
部屋や通路に備えられる従来の照明システムは、壁面などに専用のプッシュ式スイッチが備えられ、該スイッチを押すことで、照明を点灯させたり、消灯させたりすることができるようになされている。また、最近では、赤外線センサーなどからなる人感知センサーを設置し、センサーが人を感知すると照明が点灯し、一定時間を経過すると消灯するようなものも提供されている。また、人感知センサーの検知角度を自由に調整できるものも提供されている。
【特許文献１】特開２００１−２３４８４号公報
【発明の開示】
【発明が解決しようとする課題】
【０００３】
しかし、プッシュ式のスイッチによる照明システムでは、取り付ける場所が決まっており、取り付ける高さによっては、子供がスイッチに届かないという問題がある。また、スイッチを押す作業は暗闇の中で行われる場合が多く、スイッチを探すのに手間がかかるという問題がある。
【０００４】
その点、人感知センサーを用いた照明システムでは、スイッチを押すという作業がないので、簡易に点灯／消灯状態の切り換えを行なうことができるが、人感知センサーは人のみならず、犬、猫などの動物も感知してしまい、不要なときに照明が点灯して電気を無駄に消費してしまうという問題がある。また、誤作動を起こす可能性があり、必要な時に点灯しないという問題もある。
【０００５】
本発明は、上記のような問題点に鑑み、スイッチを取り付ける位置に制限がなく、また、暗闇の中でも簡易に照明の点灯／消灯状態を切り換えることができ、しかも、電気の無駄なく、誤作動を起こさないことができる照明システムを提供することを目的とする。
【課題を解決するための手段】
【０００６】
上記の課題は、建物の部屋、通路に設置される照明と、建物の部屋、通路などを構成する壁及び床の表面部に少なくとも１つ以上設けられた接触部と、人体を介して形成される指示回路と、前記指示回路からの信号を受け照明の点灯状態を切り換える主回路とが備えらており、前記接触部を少なくとも２つ以上触れることで、前記指示回路が形成され、前記指示回路が前記主回路に信号を発信し、照明の点灯／消灯状態を切り換えることができる建物の照明システムにより解決される。
【０００７】
この照明システムでは、少なくとも２つ以上の接触部に触れることにより人体を介して形成される指示回路からの信号を主回路が受けることにより、照明の点灯状態が切り換わるようになされているので、犬、猫等の動物が部屋に入る際、または、通路を行き来する際に点灯／消灯状態が切り換わることがなく、不要なときに照明が点灯して電気を無駄にすることはない。
【０００８】
特に前記接触部が、電極体からなり、前記接触部に触れることにより、前記指示回路に電流が流れ、該電流を検知する度に、前記主回路に信号を送るようになれされている場合は、センサー等を用いることなく、照明の点灯／消灯状態を切り換えることができるので、誤作動を起こす心配もない。
【０００９】
さらに、前記壁の表面部に設けられた電極体が、縦長の略長方形からなり、前記壁の鉛直方向に渡って設置されている場合は、子どもが前記電極体に手が届かず、照明の点灯／消灯状態の切り換えを行なえないという問題も生じない。
【００１０】
また、電極体が縦長の略長方形からなり、前記壁の鉛直方向に渡されているので、前記電極体の水平方向の設置位置をある程度把握しておけば、暗闇の中でもスイッチを探す手間がなく、照明の点灯／消灯状態の切り換えを簡易に行なうことができる。
【発明の効果】
【００１１】
本発明は以上のとおりであるから、電気の無駄なく、誤作動も起こさないことができるとともに、子どもがスイッチに手が届かず、照明の点灯／消灯状態を切り換えることができないこともなく、また、暗闇の中でも手間をかけずに照明の点灯／消灯状態を切り換えることができる。
【発明を実施するための最良の形態】
【００１２】
次に、本発明の実施最良形態を図面に基づいて説明する。
【００１３】
図１に示す実施形態１の照明システムにおいて、１は部屋を構成する壁、２は部屋を構成する床、３はシート型電極、４は人体５を介して形成される指示回路、６は指示回路４に流れる電流７を検知する電流検知器、８は主回路、１０は主回路８のオン／オフを切り換える主回路制御手段、９は天井から吊り下げられた照明であり、電流７は、指示回路４を流れる電流であり、微弱電流である。
【００１４】
また、シート型電極３は、壁１の表面部に設けられた正極のシート型電極３ａと床２の表面部に設けられた負極のシート型電極３ｂとからなり、シート型電極３ａは、床２の表面部より８００ｍｍ〜１３００ｍｍの高さに設けられ、シート型電極３ｂは、シート型電極３ａに触れたときに自然に足が触れる位置に設けられている。シート型電極３は、縦長の略長方形であることが好ましい。
【００１５】
本実施形態では、人がシート型電極３ａ、シート型電極３ｂに触れることにより、人体５を介して指示回路４が形成され、前記指示回路４に微弱電流が流れ、該微弱電流を電流検知器６が検知し、主回路８に信号を発信することにより、主回路制御手段１０が主回路８のオン／オフの切り換えを行い、照明９の点灯／消灯状態が切り換わるようになされている。
【００１６】
上記の照明システムでは、人がシート型電極３ａ、シート型電極３ｂに触れることにより、人体５を介して指示回路４が形成され、前記指示回路４に微弱電流が流れ、該微弱電流を電流検知器６が検知し、主回路８に信号を発信することにより、主回路制御手段１０が主回路８のオン／オフの切り換えを行い、照明９の点灯／消灯状態が切り換わるようになされているので、犬、猫等の動物が部屋に入る際、点灯／消灯状態が切り換わることがなく、不要なときに照明が点灯して電気を無駄にすることはない。
【００１７】
また、人感知センサーを用いていないので、誤作動を起こす心配もない。
【００１８】
さらに、人体５を介して形成される指示回路４に流れる電流７は微弱電流であり、しかも、指示回路４と主回路７は切り離して設けられているので、人が感電するおそれもない。
【００１９】
次に本実施形態の照明９の消灯から点灯の作動状態を図１（イ）〜（ロ）で説明する。
【００２０】
図１（イ）は、人が部屋にいない状態を示しており、電極シート３ａ、シート型電極３ｂには触れていないので、照明９は消灯している。
【００２１】
図１（ロ）は、人がシート型電極３ｂに触れているが、シート型電極３ａには触れていない状態を示しており、人がシート型電極３ｂにしか触れていないので、指示回路４は形成されず、照明９は消灯している。
【００２２】
図１（ハ）は、人がシート型電極３ａ、シート型電極３ｂに触れている状態を示しており、人がシート型電極３ａ、シート型電極３ｂに触れているので、人体５を介して指示回路４が形成され、前記指示回路４に微弱電流が流れることにより、電流検知器６が微弱電流を検知し、主回路８に信号を発信して、主回路制御手段１０が主回路８をオンに切り換えを行なうことにより、照明９が点灯している。
【００２３】
上記のように、人がシート型電極３ａ、シート型電極３ｂ両方に触れなければ、照明９の点灯／消灯状態は切り換わることはないので、不要なときに点灯して電気を無駄にすることがない。
【００２４】
図２に示す実施形態２は、シート型電極３ａが縦長の略長方形からなり、壁１の表面部の鉛直方向全面に設けられたものであり、その他は実施形態１と同様である。
【００２５】
図２に示すように、シート型電極３ａが壁１の表面部の鉛直方向全面に設けられているので、子どもがスイッチに手が届かず、照明の点灯／消灯状態を切り換えることができないという問題は生じない。
【００２６】
また、シート型電極３ａの水平方向の設置位置をある程度把握しておけば、
暗闇の中でも、簡易に照明／消灯状態の切り換えを行なうことができ、暗闇の中でスイッチを探す手間がない。
【００２７】
図３に示す実施形態３は、シート型電極３が、壁１の表面部に２つ設けられており、床２の表面部には設けられておらず、壁１の表面部に設けられた正極のシート型電極３を３ｃ、負極のシート型電極３を３ｄとし、その他は実施形態１と同様である。
【００２８】
本実施形態では、両手がシート型電極３ｃ、３ｄに同時に触れることで、j人体５を介して指示回路４が形成され、前記指示回路４に微弱電流が流れ、該微弱電流を電流検知器６が検知し、主回路８に信号を発信することにより、主回路制御手段１０が主回路８のオン／オフの切り換えを行い、照明９の点灯／消灯状態が切り換わるようになされている。
【００２９】
上記の照明システムでは、両手を使用して人体５に微弱電流を流し、照明状態の切り換えを行うようになされているので、接触部として足を使用するのと比べ、靴下等の電流を妨げるものがなく、照明状態の切り換えが確実に行なわれる。
【００３０】
以上に、本発明の実施形態を示したが、本発明はこれに限られるものではなく、発明思想を逸脱しない範囲で各種の変更が可能である。例えば、今回はシート型電極を用いたが、人が触れることにより、人体を介して電流が流れるものであればよい。
【００３１】
また、上記実施形態では、シート型電極が縦長の略長方形からなっているが、形状に限定はなく、横長の略長方形であってもよい。
【００３２】
また、上記実施形態では、照明が天井から吊り下げられたものからなっているが、壁に付けられた照明であってもよいし、壁に埋め込まれるものであってもよい。
【図面の簡単な説明】
【００３３】
【図１】実施形態１を示すものであり、（イ）は、部屋に人がいない状態での照明の点灯状態を示した側面図であり、（ロ）は人が床のシート型電極に触れている状態での照明の点灯状態を示した側面図であり、（ハ）は、人が壁と床シート型電極に触れた状態での照明の点灯状態を示す側面図である。
【図２】実施形態２を示すものであり、シート型電極が壁の鉛直方向全面に設けられた状態側面図である。
【図３】実施形態３を示すものであり、壁に２つのシート型電極を設けた状態での点灯状態を示す断面図である。
【符号の説明】
【００３４】
１・・・壁
２・・・床
３・・・シート型電極
４・・・指示回路
５・・・人体
６・・・電流検知器
７・・・電流
８・・・主回路
９・・・照明
１０・・・主回路制御手段
【図１】
2008147006.tif 000003
【図２】
2008147006.tif 000004
【図３】
2008147006.tif 000005